(57)【要約】      （修正有）【課題】車載器においてコンテンツ情報の配信サービスの会員登録解除を可能とする。【解決手段】情報配信システム１００は、車載器１０の入力部により配信サービス会員登録解除が指示されると、制御部は、記憶部に記憶されているコンテンツ情報及びアップリンク情報の基本情報以外を削除し、会員登録解除フラグをＯＮに設定する。また、制御部は、センター装置３０との通信が確立した際に会員登録解除フラグがＯＮに設定されている場合、アップリンク情報の基本情報に会員登録解除を示すコードを書き込み、センター装置３０に送信する。センター装置３０は、車載器１０からアップリンク情報を受信すると、基本情報に会員登録解除を示すコードが含まれているか否かを判断し、含まれていると判断すると、会員情報ＤＢから送信元車載器１０の車載器ＩＤをもつレコードの会員登録情報を削除する。【選択図】図１
2012146311.tif 000002
【特許請求の範囲】
【請求項１】
路側無線装置を介して、複数の配信事業者の何れかのものからのコンテンツ情報を配信するセンター装置とデータ送受信を行う通信手段と、
前記コンテンツ情報の配信サービスを提供している各配信事業者の情報を含む会員登録解除情報を設定する会員登録解除設定手段と、
前記センター装置との通信により、配信事業者の情報を受信して、契約している配信事業者からの配信サービスと判断された場合に、前記会員登録解除情報が設定されているか否かを判断し、前記会員登録解除情報が設定されている場合に、前記センター装置に送信するアップリンク情報の所定の項目に会員登録解除を示す情報を書き込む書込手段と、
前記アップリンク情報を前記センター装置に送信するアップリンク情報送信手段と、
を備える車載器。
【請求項２】
前記センター装置から配信されたコンテンツ情報及び前記センター装置に送信する各配信事業者のアップリンク情報を記憶する記憶手段を備え、
前記会員登録解除設定手段は、前記コンテンツ情報の配信サービスを提供している各配信事業者の情報を含む会員登録解除情報の設定時に、前記記憶手段に記憶されているコンテンツ情報及びアップリンク情報を削除する請求項１に記載の車載器。
【請求項３】
前記配信サービスの会員登録解除を指示するための操作手段を備え、
前記会員登録解除設定手段は、前記操作手段により前記配信サービスの会員登録解除が指示された場合に、前記配信サービスの会員登録解除情報を設定する請求項１又は２に記載の車載器。
【請求項４】
自宅登録地点情報を記憶する自宅登録地点記憶手段と、
前記自宅登録地点記憶手段により記憶された自宅登録地点情報を変更する自宅登録地点変更手段と、
をさらに備え、
前記会員登録解除設定手段は、前記自宅登録地点変更手段により自宅登録地点情報が変更された場合に、前記操作手段の操作に応じて、前記配信サービスの会員登録解除情報を設定する請求項３に記載の車載器。
【請求項５】
現在地の位置情報を検出する現在地検出手段と、
前記車載器を搭載した車両の駐車を検出する駐車検出手段と、
をさらに備え、
前記自宅登録地点変更手段は、前記駐車検出手段により前記車載器を搭載した車両の駐車が検出された際に、前記現在地検出手段により検出された現在地の位置情報と、前記自宅登録地点記憶手段に記憶された自宅登録地点が示す位置情報とが一致しない回数が、予め定められた基準回数を超えた場合に、前記自宅登録地点記憶手段に記憶されている自宅登録地点情報を前記現在地の位置情報に変更し、
前記会員登録解除設定手段は、前記自宅登録地点変更手段により前記自宅登録地点記憶手段に記憶されている自宅登録地点情報が変更された場合に、前記配信サービスの会員登録解除情報を設定する請求項４に記載の車載器。
【請求項６】
現在地の位置情報を検出する現在地検出手段と、
前記車載器を搭載した車両の駐車を検出する駐車検出手段と、
をさらに備え、
前記自宅登録地点変更手段は、前記駐車検出手段により前記車載器を搭載した車両の駐車が検出された際に、前記現在地検出手段により検出された現在地における前記車両の駐車回数が予め定められた基準回数を超えたか否かを判断し、予め定められた基準回数を超えたと判断した場合に、前記自宅登録地点記憶手段に記憶されている自宅登録地点情報を前記現在地検出手段により検出された現在地の位置情報に変更し、
前記会員登録解除設定手段は、前記自宅登録地点変更手段により前記自宅登録地点記憶手段に記憶されている自宅登録地点情報が変更された場合に、前記配信サービスの会員登録解除情報を設定する請求項４に記載の車載器。
【発明の詳細な説明】
【技術分野】
【０００１】
本発明は、車載器に関する。
【背景技術】
【０００２】
従来、ナビゲーション装置のような車載器では、ＤＳＲＣ（Dedicated Short Range Communication：狭域通信）を利用して路上や駐車場等に設置された路側無線装置と無線通信を行い、当該路側無線装置を介してセンター装置から自車の周辺にある施設（例えば、店舗や医療機関等）に関するコンテンツ情報の提供を受けることが可能となっている（例えば、特許文献１参照）。
ＤＳＲＣ通信を用いてセンター装置から車載器に情報を配信する情報配信システムでは、できるだけ配信する情報の内容を車内のユーザに合わせるため、ユーザの嗜好性や今までに視聴した広告等、コンテンツ情報の配信に関する情報をセンター装置に提供するしくみとなっている。センター装置は、車載器から提供される情報に基づいて車内のユーザに適したコンテンツ情報を編成して配信する。
【先行技術文献】
【特許文献】
【０００３】
【特許文献１】特開２００７−１０９０３２号公報
【発明の概要】
【発明が解決しようとする課題】
【０００４】
しかしながら、車載器からセンター装置に送信できる情報はコンテンツ配信のためにセンター装置が利用する基本的な情報に限られている。そのため、コンテンツの配信サービスの会員となっているユーザは、車載器から配信サービスの会員登録解除等を行うことができず、前ユーザの個人情報が車載器やセンター装置に残ったままとなる可能性があった。
【０００５】
本発明の課題は、車載器においてコンテンツ情報の配信サービスの会員登録解除を行えるようにすることである。
【課題を解決するための手段】
【０００６】
本発明の課題は、コンテンツ情報の配信におけるセキュリティを向上させることであり、本発明によれば、セキュリティを十分に確保しつつ、コンテンツ情報の適切な配信を可能とする車載器を提供することができる。
【０００７】
本発明は、路側無線装置を介して、複数の配信事業者の何れかのものからのコンテンツ情報を配信するセンター装置とデータ送受信を行う通信手段と、前記コンテンツ情報の配信サービスを提供している各配信事業者の情報を含む会員登録解除情報を設定する会員登録解除設定手段と、前記センター装置との通信により、配信事業者の情報を受信して、契約している配信事業者からの配信サービスと判断された場合に、前記会員登録解除情報が設定されているか否かを判断し、前記会員登録解除情報が設定されている場合に、前記センター装置に送信するアップリンク情報の所定の項目に会員登録解除を示す情報を書き込む書込手段と、前記アップリンク情報を前記センター装置に送信するアップリンク情報送信手段と、を備える車載器である。
【０００８】
上記の車載器において、前記センター装置から配信されたコンテンツ情報及び前記センター装置に送信する各配信事業者のアップリンク情報を記憶する記憶手段を備え、前記会員登録解除設定手段は、前記コンテンツ情報の配信サービスを提供している各配信事業者の情報を含む会員登録解除情報の設定時に、前記記憶手段に記憶されているコンテンツ情報及びアップリンク情報を削除することが好ましい。
【０００９】
上記の車載器において、前記配信サービスの会員登録解除を指示するための操作手段を備え、前記会員登録解除設定手段は、前記操作手段により前記配信サービスの会員登録解除が指示された場合に、前記配信サービスの会員登録解除情報を設定することが好ましい。
【００１０】
上記の車載器において、自宅登録地点情報を記憶する自宅登録地点記憶手段と、
前記自宅登録地点記憶手段により記憶された自宅登録地点情報を変更する自宅登録地点変更手段と、をさらに備え、前記会員登録解除設定手段は、前記自宅登録地点変更手段により自宅登録地点情報が変更された場合に、前記操作手段の操作に応じて、前記配信サービスの会員登録解除情報を設定することが好ましい。
【００１１】
上記の車載器において、現在地の位置情報を検出する現在地検出手段と、前記車載器を搭載した車両の駐車を検出する駐車検出手段と、をさらに備え、前記自宅登録地点変更手段は、前記駐車検出手段により前記車載器を搭載した車両の駐車が検出された際に、前記現在地検出手段により検出された現在地の位置情報と、前記自宅登録地点記憶手段に記憶された自宅登録地点が示す位置情報とが一致しない回数が、予め定められた基準回数を超えた場合に、前記自宅登録地点記憶手段に記憶されている自宅登録地点情報を前記現在地の位置情報に変更し、前記会員登録解除設定手段は、前記自宅登録地点変更手段により前記自宅登録地点記憶手段に記憶されている自宅登録地点情報が変更された場合に、前記配信サービスの会員登録解除情報を設定することが好ましい。
【００１２】
上記の車載器において、現在地の位置情報を検出する現在地検出手段と、  前記車載器を搭載した車両の駐車を検出する駐車検出手段と、をさらに備え、前記自宅登録地点変更手段は、前記駐車検出手段により前記車載器を搭載した車両の駐車が検出された際に、前記現在地検出手段により検出された現在地における前記車両の駐車回数が予め定められた基準回数を超えたか否かを判断し、予め定められた基準回数を超えたと判断した場合に、前記自宅登録地点記憶手段に記憶されている自宅登録地点情報を前記現在地検出手段により検出された現在地の位置情報に変更し、前記会員登録解除設定手段は、前記自宅登録地点変更手段により前記自宅登録地点記憶手段に記憶されている自宅登録地点情報が変更された場合に、前記配信サービスの会員登録解除情報を設定することが好ましい。
【発明の効果】
【００１３】
本発明によれば、車載器においてコンテンツ情報の配信サービスの会員登録解除を行うことが可能となる。
【図面の簡単な説明】
【００１４】
【図１】本実施形態における情報配信システムを示す図である。
【図２】図１の路側無線装置の相互通信エリアを説明する図である。
【図３】図１の車載器の機能的構成を示すブロック図である。
【図４】（ａ）は、図３の記憶部１ｆのデータ格納例を示す図、（ｂ）は（ａ）のアップリンク情報のデータ構成例を示す図である。
【図５】アップリンク情報の基本情報をセンター装置に送信する際のデータフォーマットを示す図である。
【図６】図１のセンター装置の機能的構成を示すブロック図である。
【図７】図６の会員情報ＤＢのデータ格納例を示す図である。
【図８】図１のセンター装置により配信されるコンテンツ情報のデータ構成例を示す図である。
【図９】実施例１の情報配信システムにおいてコンテンツ情報を配信する際における各装置間の処理の流れを説明する図である。
【図１０】図９のステップＳ４で実行される初期化処理を示すフローチャートである。
【図１１】図１０のステップＳ１０９において実行される会員登録解除設定処理を示すフローチャートである。
【図１２】実施例２の情報配信システムにおいてコンテンツ情報を配信する際における各装置間の処理の流れを説明する図である。
【図１３】図１２のステップＳ４で実行される自宅登録地点変更処理を示すフローチャートである。
【図１４】実施例３、４の情報配信システムにおいてコンテンツ情報を配信する際における各装置間の処理の流れを説明する図である。
【図１５】実施例３において図１４のステップＳ４で実行される自宅登録位置検出処理を示すフローチャートである。
【図１６】実施例４において図１４のステップＳ４で実行される自宅登録位置検出処理を示すフローチャートである。
【発明を実施するための形態】
【００１５】
以下、添付図面を参照して本発明に係る実施例を詳細に説明する。ただし、発明の範囲は、図示例に限定されない。
【実施例１】
【００１６】
まず、実施例１の構成を説明する。
【００１７】
図１に、本実施形態における情報配信システム１００を示す。
情報配信システム１００は、図１に示すように、車両Ｃに搭載された車載器１０、路側無線装置２０、センター装置３０を含んで構成され、センター装置３０が路側無線装置２０を介して車載器１０にコンテンツ情報を配信する。路側無線装置２０は路上や駐車場等に複数設置され、各路側無線装置２０はネットワークＮを介してセンター装置３０と接続されている。また、路側無線装置２０と、路上を走行する車両Ｃの車載器１０とは無線通信が可能である。
【００１８】
センター装置３０が車載器１０に配信するコンテンツ情報の内容としては、例えば、車両Ｃ周辺の店舗、駐車場、医療施設等の各種施設のサービス案内等が挙げられる。
【００１９】
以下、各構成装置について詳細に説明する。
路側無線装置２０は、図２に示すように本体装置２０ａとアンテナ２０ｂとから構成されている。路側無線装置２０は、道路脇や道路上方、駐車場、道の駅等に設置されたアンテナ２０ｂから、到達距離が限定されたＤＳＲＣの電波を放射して、路側無線装置２０近傍に相互通信エリアＺを形成する。この相互通信エリアＺ内にある車両Ｃの車載器１０とだけ双方向狭域無線通信が可能となる。以下、路側無線装置２０と車載器１０間の狭域無線通信を路車間通信という場合がある。
【００２０】
ＤＳＲＣは５．８GHz帯域の電波を使った通信方式であり、その通信範囲は例えば数メートルから数十メートルである。路側無線装置２０からのＤＳＲＣの送信出力は何れも同じ程度に設定されているので、複数の路側無線装置２０がそれぞれ形成する相互通信エリアＺは設置場所に関係なく、ほぼ一定である。
【００２１】
本体装置２０ａは、車載器１０とセンター装置３０間の情報のやりとりを仲介するための処理を行う。すなわち、アンテナ２０ｂを介して車載器１０から受信された情報をセンター装置３０に転送し、センター装置３０から送信されたコンテンツ情報を車載器１０へ転送する。本体装置２０ａは、情報処理や通信制御を行う制御部、記憶部等を備えたコンピュータ端末を適用することができる。
【００２２】
車載器１０は、車両Ｃに搭載され、案内経路への誘導のための処理等を行うナビゲーション機能の他、ＤＳＲＣによるＥＴＣ（Electronic Toll Collection System）利用のための処理を行う機能等を有している。
車載器１０は、図３に示すように、カーナビ部１、通信モジュール２、ＤＳＲＣ部３、制御部４、Ｉ／Ｆ５を備えて構成されている。
【００２３】
制御部４は、ＣＰＵ（Central Processing Unit）、ＲＡＭ（Random Access Memory）
等から構成され、記憶部１ｆに記憶された制御プログラムとの協働により各種演算を行う他、各部の集中制御を行う。
例えば、路側無線装置２０との路車間通信を行う際にはＤＳＲＣ部３の通信動作を制御する。なお、ＤＳＲＣ部３の制御にあたってはＤＳＲＣ部３のＤＳＲＣ制御部３ａとの協働により制御を行う。また、ＤＳＲＣ部３を介してセンター装置３０から受信したコンテンツ情報の保存、再生制御等を行う。
また、制御部４は、Ｉ／Ｆ５を介してエンジンスイッチキー６がＯＦＦされた旨の信号（ＯＦＦ信号）が入力されたことを検出することで、即ち、車両Ｃのエンジン停止を検出することで、車両Ｃ（自車）の駐車を検出する駐車検出手段として機能する。
【００２４】
カーナビ部１は、カーナビ制御部１ａ、現在地検出部１ｂ、地図記憶部１ｃ、入力部１ｄ、表示部１ｅ、記憶部１ｆ、音声出力部１ｇ等を備えて、車両Ｃを案内経路へ誘導するための処理を行う。
カーナビ制御部１ａは、現在地検出部１ｂから取得した現在地の情報及び地図記憶部１ｃに記憶された地図情報等に基づいて、車両Ｃの現在地から入力部１ｄを介して設定された目的地までの案内経路を算出する。そして、地図記憶部１ｃに記憶されている地図情報を用いて算出した案内経路へ誘導するための地図画面を生成し、表示部１ｅにより表示させる。
【００２５】
現在地検出部１ｂは、ＧＰＳアンテナ、角度センサ、方位センサ、距離センサ等の各種センサを備え、これらセンサによる検出結果に基づいて車両Ｃの現在地を検出する。ＧＰＳアンテナは、ＧＰＳ衛星から送信されるＧＰＳ信号を検出する。また、角度センサは移動方向の変化量を示す車の加速度（単位時間あたりの水平方向への回転速度）を検出し、方位センサは地磁気の検出を行い、車両の絶対方位を検出する。現在地検出部１ｂは、これらセンサから取得した各検出結果に基づいて車両の現在地を示す現在地情報（経度、緯度等の情報）を生成し、カーナビ制御部１ａに出力する。
【００２６】
地図記憶部１ｃは、メモリやＤＶＤ等の記録媒体から構成され、案内表示に必要な地図情報、通信モジュール２を介して受信されるガイド情報（道路情報、渋滞情報等）等を記憶している。
【００２７】
操作手段としての入力部１ｄは、操作キーや表示部１ｅと一体に構成されるタッチパネル等から構成されている。入力部１ｄは、これらの操作に対応する操作信号を生成し、制御部４に出力する。
表示部１ｅは、モニタを備え、制御部４の制御に従ってモニタ上に各種情報を表示する。例えば、設定画面や地図画面、センター装置３０から受信したコンテンツ情報の表示画面等である。
【００２８】
記憶部１ｆは、不揮発メモリ等により構成され、制御部４やカーナビ制御部１ａにより実行される制御プログラム、プログラムの実行に必要なパラメータやデータ等を記憶している。
また、記憶部１ｆは、図４（ａ）に示すように、「車載器ＩＤ」領域、「カーナビ部設定情報」領域、「自宅登録地点情報」領域、「メモリ地点情報」領域、「コンテンツ情報」領域、「アップリンク情報」領域、「会員登録解除フラグ」領域等を有する。「車載器ＩＤ」領域は、車載器１０の車載器ＩＤを記憶する。「カーナビ部設定情報」領域は、カーナビ部１の各種設定情報を記憶する。「自宅登録地点情報」領域は、車載器１０のユーザの自宅位置情報（緯度経度）を記憶する。「メモリ地点情報」領域は、メモリ地点登録された地点の位置情報（緯度経度）を記憶する。「コンテンツ情報」領域は、センター装置３０から受信したコンテンツ情報を保存する。「アップリンク情報」領域は、センター装置３０に提供するアップリンク情報を記憶する。「会員登録解除フラグ」領域は、配信サービスの会員登録解除が設定されたか否かを示す会員登録解除フラグを記憶する。なお、車載器ＩＤは、記憶部３ｃで記憶するようにしてもよい。
【００２９】
ここで、アップリンク情報は、センター装置３０において、車載器１０にどのような内容のコンテンツ情報を配信するかを決定する際に用いられる情報である。車載器１０のユーザがコンテンツ情報の配信サービスについて契約をした配信事業者が複数ある場合には、アップリンク情報は配信事業者毎に各配信事業者に応じた内容で制御部４により生成され、記憶部１ｆに記憶される。アップリンク情報は最新の内容となるように制御部４が常に更新を行って記憶部１ｆに保存させる。
【００３０】
図４（ｂ）に、アップリンク情報のデータ構成例を示す。図４（ｂ）に示すように、アップリンク情報は、「基本情報」、「過去立ち寄り地情報」、「受信／再生履歴情報」を含んで構成される。
【００３１】
「基本情報」には、「事業者コード」、「目的地情報」、「経由地情報」、「累計走行距離情報」、「嗜好ジャンルテーブルバージョン情報」、「嗜好ジャンルデータ」、「会員情報」等の項目の情報が含まれる。
【００３２】
「事業者コード」は、ユーザが予めコンテンツ情報の配信について契約した配信事業者を特定する情報である。
「目的地情報」は、カーナビ部１で設定された目的地の緯度、経度の情報であり、「経由地情報」はカーナビ部１で設定された目的地までの誘導経路において経由する地点の緯度、経度の情報である。また、「累計走行距離情報」はＤＳＲＣ部３のセットアップ（販売店などにより、車両情報を登録する作業））時点から現在までの車両Ｃの累計走行距離の情報である。
【００３３】
「嗜好ジャンルテーブルバージョン情報」は、「事業者コード」により特定される配信事業者から配信された嗜好ジャンルテーブルのバージョンを示す情報である。嗜好ジャンルテーブルは、予め配信事業者が準備したジャンル項目（例えば、ショッピング、グルメ、暮らし等）についての嗜好データ番号（ジャンル項目を特定する番号）やジャンル名の表示用テキスト情報等を一覧にしたテーブルであり、ユーザが嗜好するジャンルを設定する際に使用される。
「嗜好ジャンルデータ」は、ユーザが嗜好するジャンルとして設定したジャンル項目を示す情報である。嗜好ジャンルデータは、嗜好ジャンルテーブルに規定される嗜好データ番号で表されており、９６項目まで含めることができる。
【００３４】
「過去立ち寄り地情報」は、過去に車両Ｃが停車した（つまり車載器１０の電源がＯＮ又はＯＦＦされた）地点の緯度、経度の情報及び時刻情報である。
【００３５】
会員情報は、配信サービスの会員であるユーザが配信事業者に通知する各種の情報である。会員情報としては、例えば、配信されたコンテンツ情報に対するコメント情報や、配信されたコンテンツ情報に含まれる後述するＩＤ４０の詳細情報（会員に賦与したクーポン等の特典情報等）のコピー等が挙げられる。
【００３６】
受信／再生履歴情報は、センター装置３０から配信されたコンテンツ情報の情報コード（受信情報コード）及びそのコンテンツ情報を再生したか否かを示す再生識別フラグ（再生したことを示す「１」、再生しなかったことを示す「０」）により構成される情報である。
【００３７】
音声出力部１ｇは、音声処理部、Ｄ／Ａ変換器、増幅器、スピーカ等を備えて構成される。音声出力部１ｇは、制御部４から指示された音声データをＤ／Ａ変換器によりアナログ信号に変換してスピーカにより音声出力する。また、音声出力部１ｇは、制御部４から指示された表音文字列データに基づいて音声処理部により合成音声信号を生成し、スピーカにより音声出力する。
【００３８】
通信モジュール２は、光通信用、ＦＭ通信用、２．４GHz電波通信用のアンテナをそれぞれ備え、通信センターと光通信、ＦＭ通信、電波通信を行う。通信モジュール２は通信センターから渋滞情報や道路交通情報等を受信し、制御部４に出力する。通信センターとしてはＶＩＣＳセンター等を挙げることができるが、これに限らず、また、通信センターから受信する情報としては、渋滞情報や道路交通情報に限らない。
なお、通信モジュール２は他にもＷｉＭａｘ（Worldwide Interoperability for Microwave Access）等のＤＳＲＣ以外の通信手段を使用することにより、インターネット等の情報を入手することもできる。
【００３９】
ＤＳＲＣ部３は、ＤＳＲＣによるＥＴＣ利用のための処理や、センター装置３０からコンテンツ情報を受信するための通信処理等を行う。
ＤＳＲＣ部３は、図３に示すようにＤＳＲＣ制御部３ａ、通信部３ｂ、記憶部３ｃ、ＥＴＣ処理部３ｅ、ＩＣカードＩ／Ｆ３ｆを備えて構成されている。
【００４０】
ＤＳＲＣ制御部３ａは、ＣＰＵ、ＲＡＭ等から構成され、記憶部３ｃに記憶されている制御プログラムとの協働によりＤＳＲＣ部３の各部の動作を制御する。
例えば、ＥＴＣによる決済を行う際には、通信部３ｂの通信動作を制御してＥＴＣ基地局（ＥＴＣ決済を行うためにＥＴＣゲート付近等に設けられる無線基地局）と決済情報の送受信を行わせる。また、ＥＴＣ処理部３ｅにより決済情報の書き込み処理を行わせる。
また、センター装置３０からコンテンツ情報を受信する際には、制御部４の指示に従って記憶部３ｃのアップリンク情報記憶領域Ｍに記憶されている情報を、通信部３ｂにより路側無線装置２０に送信させる一方、通信部３ｂにより路側無線装置２０を介してコンテンツ情報を受信した場合にはこれを制御部４に出力する。
【００４１】
通信部３ｂは、例えば車両Ｃのダッシュボード上でフロントガラス近傍に固設されたアンテナを備え、このアンテナを介して路側無線装置２０やＥＴＣ基地局等と、ＤＳＲＣの電波の送受信を行う。
【００４２】
記憶部３ｃは、不揮発メモリ等により構成される。記憶部３ｃは、ＤＳＲＣ制御部３ａにより実行される制御プログラム等を記憶している。
また、記憶部３ｃにはアップリンク情報記憶領域Ｍが設けられている。アップリンク情報記憶領域Ｍは、センター装置３０に情報を提供するために専用に設けられた記憶領域であり、図４に示すアップリンク情報の他、車載器１０の特性情報（図示せず）が記憶される。
【００４３】
特性情報とは、車載器１０の機器特性に関する情報をいう。特性情報には、車載器１０の車載器ＩＤ、車載器１０が対応できる言語、地図の測地系、車載器１０が対応可能な著作権管理技術、表示部１ｅのディスプレイの解像度、ＳＶＧ（Scalable Vector Graphics）の対応、コンテンツ情報を蓄積可能な記憶容量等の情報が含まれる。なお、車載器ＩＤは各車載器１０に固有の識別情報である。
【００４４】
アップリンク情報をセンター装置３０に送信する際のデータ形式は予め定められており、記憶部１ｆに記憶されたアップリンク情報は、所定のタイミングで、上記予め定められたデータ形式に則ってアップリンク情報記憶領域Ｍに書き込まれる。アップリンク情報記憶領域Ｍは、より詳細には、５つのタグエリアが設けられており、タグ１に基本情報が、タグ２〜３に過去立ち寄り地情報が、タグ４〜５に受信／再生履歴情報が書き込まれる。センター装置３０にアップリンク情報が送信される際には、タグ１〜５に書き込まれた情報のそれぞれにタグを識別するタグ番号を付与して送信される。
図５に、タグ１に書き込まれる「基本情報」部分のデータ形式の一例を示す。
【００４５】
ＥＴＣ処理部３ｅは、ＩＣカードＩ／Ｆ３ｆに挿抜されるＩＣ付きクレジットカード又はデビットカード等に対して決済情報等の読み書きを行う。
ＩＣカードＩ／Ｆ３ｆは、上記クレジットカード等のスロットを備え、このスロットに挿入されたクレジットカード等のＩＣとＥＴＣ処理部３ｅの間で情報のやりとりを仲介する。
【００４６】
Ｉ／Ｆ５は、自車エンジンのＯＮ／ＯＦＦを切り替えるためのエンジンスイッチキー６からの入力信号を制御部４に出力する。
【００４７】
次に、センター装置３０について説明する。
センター装置３０は、コンテンツ情報を記憶し、これを車載器１０に配信する。
なお、図１では１台のセンター装置３０のみ示したが、コンテンツ情報を配信する配信事業者は複数あり、センター装置３０は配信事業者毎に備えられるものである。また、以下に説明するセンター装置３０としての機能の一部或いは全部を路側無線装置２０が備えていてもよい。
図６に、センター装置３０の機能的構成を示す。
図６に示すように、センター装置３０は制御部３１、入力部３２、表示部３３、記憶部３４、通信部３５を備えて構成されている。
【００４８】
制御部３１は、ＣＰＵ、ＲＡＭ等から構成され、記憶部３４に記憶された制御プログラムとの協働により各種演算を行う他、各部の集中制御を行う。
例えば、制御部３１は記憶部３４に保存されているコンテンツ情報を読み出して編成したり、編成したコンテンツ情報の配信制御を行う。なお、編成とは配信するコンテンツ情報をアップリンク情報に基づいて選択すること等をいう。
【００４９】
入力部３２は、キーボード等を備えて操作入力を受け付け、当該操作入力に応じた操作信号を制御部３１に出力する。
表示部３３はディスプレイを備え、制御部３１の表示制御に従ってディスプレイ上に各種画面を表示する。
【００５０】
記憶部３４は、不揮発メモリやハードディスク等により構成され、制御部３１により実行されるプログラムの他、プログラムの実行に必要な各種データを記憶する。
【００５１】
また、記憶部３４は、図７に示すように、会員情報ＤＢ（Data Base）３４１を記憶している。車載器１０のユーザと配信事業者との間でコンテンツ情報の配信サービスに加入する契約を行う際には、会員登録が行われる。会員情報ＤＢ３４１は、会員登録されたユーザの氏名、住所等の個人情報や、ユーザが所有する車載器ＩＤ、会員の取得ポイント等の会員登録情報を格納するデータベース（会員登録データベース）である。
【００５２】
また、記憶部３４は、コンテンツ情報の配信事業者に個別に付与されている事業者コードや、配信すべきコンテンツ情報を記憶している。コンテンツ情報は、車載器１０に配信した嗜好ジャンルデータテーブルにより規定されるジャンル項目毎に分類されている。
【００５３】
図８に、センター装置３０から配信されるコンテンツ情報のデータフォーマットの一例を示す。
コンテンツ情報は、図８に示すように、大区分番号（ＩＤ）により分類される情報がいくつかの格納可能なファイルにより構成され、提供するコンテンツの内容に応じて必要なＩＤの情報が格納されている。
【００５４】
ここで、ＩＤによりに分類される情報のうち、本実施例に必要な主要な情報について説明する。
ＩＤ００に分類される「構成ＩＤ情報」は、当該コンテンツ情報を構成するＩＤの情報である。即ち、構成ＩＤ情報は、当該コンテンツ情報の何れのＩＤに情報が格納されているかを示す情報である。
ＩＤ０１に分類される「事業者情報」は、当該コンテンツを配信する配信事業者に関する情報であり、例えば、コンテンツを提供する配信事業者の「事業者コード」、「事業者名表示用テキスト」等が含まれる。
【００５５】
ＩＤ０２、ＩＤ０３に分類される「コンテンツ属性情報」は、当該コンテンツの属性を示す情報であり、例えば、コンテンツを提供する情報提供企業の「情報提供企業コード」、「情報提供企業名表示用テキスト」、コンテンツを特定するための識別情報である「情報コード」、コンテンツの内容を示す「情報タイトル表示用テキスト」、コンテンツのカテゴリを示す「嗜好データカテゴリ情報」等が含まれる。なお、「嗜好データカテゴリ情報」のカテゴリは、上述の嗜好ジャンルテーブルにより規定されるジャンル項目と同義であり、「嗜好データカテゴリ情報」は、上述の嗜好データ番号で記載される。
ＩＤ０３に分類される「コンテンツ属性情報」には、当該コンテンツを相互通信エリアＺ外でも利用可能なコンテンツとして蓄積するか、受信完了後に即時再生するかを表す識別子としての「即時／蓄積コード」が含まれる。
ＩＤ０４に分類される「有効期限情報」は、当該コンテンツの有効期限を示す情報であり、「開始年月日時分秒」、「終了年月日時分秒」等が含まれる。
【００５６】
ＩＤ１０に分類される「対象地点情報」は、当該コンテンツにより案内されるサービスが提供される地点（対象地点という）に関する情報や当該コンテンツの実データを含む。「対象地点情報」は、対象地点の緯度経度を示す「対象地点座標情報」、対象地点で提供されるサービスや店舗の名称を示す「サービス名称表示用テキスト」、サービスの説明用テキスト情報である「表示用文字データ」、サービス案内の画面を表示するための「表示画像データ」、サービスの音声案内のための「表音文字列データ」及び「圧縮音声データ」、当該コンテンツの内容に関連する情報を提供するＷｅｂページの格納場所のアドレスを示す「ＵＲＬ情報」、対象地点以外の提携駐車場を示す「提携駐車場情報」、対象地点を地図画面上に表示する際の「アイコン表示画像データ」等が含まれる。
【００５７】
ＩＤ３０に分類される「遷移情報」は、当該コンテンツの次に再生可能なコンテンツ（再生遷移先）を示す情報である。「遷移情報」により、８分岐の再生遷移が可能であり、「遷移情報」は、次に再生可能なコンテンツの情報コード（ＩＤ０２）を示す「次再生情報コード１」〜「次再生情報コード８」が含まれる。なお、画面遷移先が８未満の場合には、その遷移先の数を超える「次再生情報コード」には情報コードが格納されない。
【００５８】
ＩＤ４０に分類される「詳細情報」は、ＩＤ１０のコンテンツ（画像、音声等）の内容に関する詳細な情報である。「詳細情報」には、ＩＤ１０のコンテンツの内容を示す情報（例えば、クーポン情報、バーゲン情報であることを示すコード等）からなる「詳細情報データ」、ＩＤ１０のコンテンツの内容を示すテキスト情報である「詳細情報表示用テキスト」、ＩＤ１０のコンテンツの内容を音声出力するための「詳細情報表音文字列データ」等が含まれる。
【００５９】
センター装置３０から車載器１０に対しては、複数のコンテンツ情報が配信される。配信される複数のコンテンツ情報は階層化されており、車載器１０において、ＩＤ３０の遷移情報によって規定される階層構造に従って順次画面を遷移させてコンテンツ情報を再生できるようになっている。
【００６０】
次に、情報配信システム１００における配信サービスの会員登録解除動作について説明する。
図９は、実施例１において、コンテンツ情報を配信する際におけるセンター装置３０、路側無線装置２０、車載器１０のＤＳＲＣ部３及び制御部４における処理の流れを説明するフローチャートである。
【００６１】
図９に示すように、車両Ｃのエンジンが起動し、車載器１０の電源が投入されると（ステップＳ１）、制御部４は車載器１０の特性情報を生成し、記憶部３ｃのアップリンク情報記憶領域Ｍに書き込む（ステップＳ２）。特性情報は、予めセンター装置３０との間で取り決められている項目について制御部４が表示部１ｅ等の各部に問い合わせて取得したり、予め記憶部１ｆに記憶されている情報を読み出す等して取得する。そして、取得された情報を制御部４がコード化し、アップリンク情報記憶領域Ｍの対応する領域に当該コードを書き込む。なお、実際には書き込みを指示する制御情報をＤＳＲＣ制御部３ａに出力し、このＤＳＲＣ制御部３ａがアップリンク情報記憶領域Ｍに書き込む。
【００６２】
車載器１０において、表示部１ｅに表示されたメニュー画面から入力部１ｄによりカーナビ部１の初期化の指示が入力されると（ステップＳ３；ＹＥＳ）、制御部４は、初期化処理を実行する（ステップＳ４）。
【００６３】
図１０は、図９のステップＳ４において制御部４により実行される初期化処理を示すフローチャートである。
【００６４】
表示部１ｅに表示されたメニュー画面から入力部１ｄによりカーナビ部１の初期化の指示が入力されると、制御部４は、表示部１ｅに初期化メニュー画面（図示せず）を表示する（ステップＳ１０１）。初期化メニュー画面には、「ナビシステム設定」「自宅登録地点」「メモリ地点」「配信サービス会員登録解除」「全て」が選択項目として表示されており、ユーザが入力部１ｄにより表示された選択項目から初期化する項目を選択可能となっている。
【００６５】
初期化メニュー画面において、入力部１ｄにより「ナビシステム設定」又は「全て」が選択された場合（ステップＳ１０２；ＹＥＳ）、制御部４は、記憶部１ｆに記憶されているカーナビ部１の設定情報を削除する（ステップＳ１０３）。
【００６６】
初期化メニュー画面において、入力部１ｄにより「自宅登録地点」又は「全て」が選択された場合（ステップＳ１０４；ＹＥＳ）、制御部４は、記憶部１ｆに記憶されている自宅登録地点情報を削除する（ステップＳ１０５）。
【００６７】
初期化メニュー画面において、入力部１ｄにより「メモリ地点」又は「全て」が選択された場合（ステップＳ１０６；ＹＥＳ）、制御部４は、記憶部１ｆに記憶されているメモリ地点情報を削除する（ステップＳ１０７）。
【００６８】
初期化メニュー画面において、入力部１ｄにより「配信サービス会員登録解除」又は「全て」が選択された場合（ステップＳ１０８；ＹＥＳ）、制御部４は、図１１に示す会員登録解除設定処理を実行し（ステップＳ１０９）、本処理を終了する。
【００６９】
図１１に、ステップＳ１０９において車載器１０の制御部４により実行される会員登録解除設定処理を示す。
会員登録解除設定処理において、制御部４は、まず、記憶部１ｆに記憶されているコンテンツ情報（センター装置３０から受信し保存されたコンテンツ情報）を削除する（ステップＳ１００１）。次いで、制御部４は、記憶部１ｆに記憶されている基本情報以外のアップリンク情報を削除する（ステップＳ１００２）。そして、制御部４は、記憶部１ｆの会員登録解除フラグ領域において、会員登録解除フラグをＯＮに設定し（ステップＳ１００３）、本処理を終了する。会員登録解除フラグＯＮは、会員登録解除情報となる。
【００７０】
なお、配信サービス会員登録解除の設定は、上述のように登録されている配信事業者全てに対して行ってもよいが、配信事業者毎に行えるようにしてもよい。配信事業者毎に会員登録解除を行える構成とする場合、制御部４は、例えば、会員登録解除設定処理の開始時に、表示部１ｅに配信サービスの会員登録を行った配信事業者（即ち、記憶部１ｆのアップリンク情報に事業者コードが登録されている配信事業者）の一覧を表示し、会員登録解除の対象となる配信事業者を入力部１ｄを介してユーザが選択できるようにする。そして、図１１のステップＳ１００１においては、入力部１ｄを介して選択された配信事業者の事業者コードをもつコンテンツ情報を記憶部１ｆから削除し、ステップＳ１００２においては、選択された配信事業者のアップリンク情報を記憶部１ｆから削除する。そして、１００３においては、選択された配信事業者の事業者コードと対応付けて会員登録解除フラグをＯＮに設定する。  
【００７１】
その後、車両Ｃが走行を開始し、路側無線装置２０の相互通信エリアＺに進入すると（エリアイン）、路側無線装置２０は車両Ｃを検出し、車載器１０のＤＳＲＣ部３とＤＳＲＣ通信による接続処理を開始する（図９のステップＳ５ａ、Ｓ５ｂ）。すなわち、ＤＳＲＣの電波を送出し、車載器１０からの応答が得られると、通信路を確立する。通信路を確立すると、路側無線装置２０はセンター装置３０に対し接続が完了した旨の通知情報を送信する（ステップＳ６ａ）。一方、車載器１０のＤＳＲＣ部３は制御部４に対し接続が完了した旨の通知情報を出力する（ステップＳ６ｂ）。
【００７２】
次いで、ＤＳＲＣ部３はアップリンク情報記憶領域Ｍに書き込まれている特性情報を路側無線装置２０に送信する（ステップＳ７）。特性情報は路側無線装置２０を介してセンター装置３０に送信される。
センター装置３０において、通信部３５により特性情報が受信されると、制御部３１は、受信した特性情報に含まれる車載器ＩＤに基づいて車載器１０のユーザが配信サービスの会員か否かを判断する（ステップＳ８）。
【００７３】
センター装置３０の制御部３１は、会員情報ＤＢ３４１に登録されている配信サービスの全会員の車載器ＩＤのうち、受信した車載器ＩＤと一致するものがなく、車載器１０のユーザが非会員であると判断すると（ステップＳ８；ＮＯ）、記憶部３４から非会員用のコンテンツ情報を読み出し、通信部３５により、路側無線装置２０を介して車載器１０に配信する（ステップＳ９）。配信が終了すると、センター装置３０の制御部３１は、配信終了を通知するメッセージ情報を生成して車載器１０に送信し（ステップＳ１０）、センター装置３０における処理を終了する。非会員用のコンテンツ情報とは、例えば、電車の遅延情報、納税通知情報等の公共の広告情報等の一般向けの内容の情報である。
【００７４】
一方、受信した車載器ＩＤと一致する車載器ＩＤが会員情報ＤＢ３４１に登録されており、車載器１０のユーザが会員であると判断すると（ステップＳ８；ＹＥＳ）、センター装置３０の制御部３１は、通信部３５により、路側無線装置２０を介して会員用のデフォルトのコンテンツ情報を車載器１０に配信する（ステップＳ１１）。会員用のデフォルトのコンテンツ情報は、例えば、コンテンツ情報の配信開始を示すＷｅｌｃｏｍｅ画面情報等である。
【００７５】
また、制御部３１は、車載器１０に対し定期的にポーリングを行って（ステップＳ１２、Ｓ１７）、アップリンク情報記憶領域Ｍに書き込まれたアップリンク情報の送信を要求する。
【００７６】
路側無線装置２０を介してコンテンツ情報が受信されると、車載器１０の制御部４は、受信したコンテンツ情報に含まれる事業者コードと、記憶部１ｆに記憶されているアップリンク情報に含まれる事業者コードとを照合することにより、受信されたコンテンツ情報を配信した配信事業者が契約した事業者であるか否かを判断する（ステップＳ１３）。受信されたコンテンツ情報を配信した配信事業者が契約した事業者ではないと判断すると（ステップＳ１３；ＮＯ）、制御部４は、ステップＳ３０の処理に移行し、センター装置３０からの配信終了を通知するメッセージ情報の受信に応じて、全てのコンテンツ情報が揃ったか否か、受信したコンテンツ情報のデータは全て正常か否か等の検査を行い（ステップＳ３０）、受信したコンテンツ情報を記憶部１ｆに保存する（ステップＳ３１）。そして、制御部４における処理を終了する。  
【００７７】
一方、受信されたコンテンツ情報を配信した配信事業者が契約した事業者であると判断すると（ステップＳ１３；ＹＥＳ）、制御部４は、記憶部１ｆの会員登録解除フラグ領域において会員登録解除フラグがＯＮに設定されているか否かを判断する。会員登録解除フラグがＯＮに設定されていないと判断すると（ステップＳ１４；ＮＯ）、ステップＳ１６の処理に移行する。
【００７８】
会員登録解除フラグがＯＮに設定されていると判断すると（ステップＳ１４；ＹＥＳ）、制御部４は、記憶部１ｆに記憶されている当該配信事業者の事業者コードに対応するアップリンク情報における「基本情報」に、会員登録解除を示すコードを書き込み（ステップＳ１５）、ステップＳ１６の処理に移行する。具体的には、「基本情報」の「事業者コード」に登録解除を示すコード（例えば、各事業者と取り決めて、事業者コードの各桁を０にする等）で上書きする。又は、「嗜好ジャンルテーブルバージョン情報」に０を書き込むとともに「嗜好ジャンルデータ」の９６項目に０を書き込む。なお、会員登録解除を示す情報としては、上記の会員登録解除を示すコードに限定されず、例えば、フラグ等を用い、アップリンク情報に会員登録解除を示すフラグを書き込むこととしてもよいし、アップリンク情報の会員情報に会員登録解除と書き込んでもよい。また、「嗜好ジャンルテーブルバージョン情報」または「嗜好ジャンルデータ」のどちらか一方のみ０を書き込むことで会員登録解除を示してもよい。
【００７９】
ステップＳ１６においては、当該配信事業者の事業者コードに対応するアップリンク情報を記憶部１ｆから読み出してアップリンク情報記憶領域Ｍに書き込む（ステップＳ１６）。
【００８０】
ＤＳＲＣ部３は、制御部４によりアップリンク情報記憶領域Ｍへのアップリンク情報の書き込みが行われると、センター装置３０からのポーリングに応じて、アップリンク情報記憶領域Ｍに記憶されているアップリンク情報を、路側無線装置２０を介してセンター装置３０に送信する（ステップＳ１８）。
【００８１】
センター装置３０において、通信部３５を介してアップリンク情報が受信されると、制御部３１は、受信したアップリンク情報を一時的に保存するとともに（ステップＳ１９）、通信部３５により路側無線装置２０を介して車載器１０にアップリンク情報開放要求を送信する（ステップＳ２０）。
【００８２】
制御部４は、路側無線装置２０を介してセンター装置３０から送信されたアップリンク情報開放要求を受信すると、記憶部１ｆの会員登録解除フラグ領域において会員登録フラグがＯＮに設定されているか否かを判断する（ステップＳ２１）。記憶部１ｆの会員登録解除フラグ領域において会員登録解除フラグがＯＮに設定されていると判断すると（ステップＳ２１；ＹＥＳ）、制御部４は、記憶部１ｆに記憶されている当該配信事業者の事業者コードをもつアップリンク情報の「基本情報」を削除する処理を行い（ステップＳ２２）、会員登録解除フラグをＯＦＦに設定し（ステップＳ２３）、制御部４の処理を終了する。記憶部１ｆの会員登録解除フラグ領域において会員登録解除フラグがＯＮに設定されていないと判断すると（ステップＳ２１；ＮＯ）、制御部４は、コンテンツ情報の受信を待機してステップＳ３０の処理に移行する。
【００８３】
センター装置３０の制御部３１においては、アップリンク情報開放要求の送信後、受信したアップリンク情報が予め定められた会員登録解除条件に一致するか否かを判断する（ステップＳ２４）。具体的に、「基本情報」の「事業者コード」が登録解除を示すコード（例えば、事業者コードの各桁を０にする等）である、又は、「嗜好ジャンルテーブルバージョン」及び「嗜好ジャンルデータ」の９６項目が０である場合、会員登録解除条件に一致すると判断する。
【００８４】
受信したアップリンク情報が会員登録解除条件に一致すると判断した場合（ステップＳ２４；ＹＥＳ）、制御部３１は、会員情報ＤＢ３４１に記憶されている、アップリンク情報送信元の車載器ＩＤと一致する車載器ＩＤに対応する会員登録情報のレコードを会員情報ＤＢ３４１から削除し（ステップＳ２５）、会員登録解除を通知するコンテンツ情報を記憶部３４から読み出して（ステップＳ２６）、通信部３５により路側無線装置２０を介して車載器１０に配信する（ステップＳ２８）。
【００８５】
受信したアップリンク情報が会員登録解除条件に一致しないと判断した場合（ステップＳ２４；ＮＯ）、制御部３１は、車載器１０から受信されたアップリンク情報に基づいて配信するコンテンツ情報を編成し（ステップＳ２７）、通信部３５により路側無線装置２０を介して車載器１０に配信する（ステップＳ２８）。
ステッＳ２７においては、受信したアップリンク情報の嗜好ジャンルデータ等を参照し、記憶部３４に記憶されているコンテンツ情報のうちユーザが嗜好するジャンル項目に分類されるコンテンツ情報等を配信するコンテンツとして選択し、該当するコンテンツ情報を記憶部３４から読み出して車載器１０に配信する。
【００８６】
コンテンツ情報の配信が終了すると、センター装置３０の制御部３１は、配信終了を通知するメッセージ情報を生成し、通信部３５により路側無線装置２０を介して車載器１０に送信する（ステップＳ２９）。
【００８７】
車載器１０において、センター装置３０から配信されたコンテンツ情報及び配信終了通知を路側無線装置２０を介して受信すると、車載器１０の制御部４は、全てのコンテンツ情報が揃ったか否か、受信したコンテンツ情報のデータは全て正常か否か等の検査を行い（ステップＳ３０）、受信したコンテンツ情報を記憶部１ｆに保存するとともに、記憶部１ｆに受信履歴を記憶する（ステップＳ３１）。受信履歴の記憶は、具体的には、記憶部１ｆに記憶されている当該事業者コードのアップリンク情報における受信／再生履歴情報に受信したコンテンツ情報の受信情報コードを書き込む。
【００８８】
車載器１０が相互通信エリアＺ外に移動することにより（エリアアウト）一定時間以上路側無線装置２０との通信が途絶えると、情報配信の一連の処理は終了する。
【００８９】
以上説明したように、実施例１によれば、車載器１０の表示部１ｅに表示された初期化メニュー画面において、入力部１ｄにより「配信サービス会員登録解除」又は「全て」が選択され、配信サービス会員登録解除が指示されると、制御部４は、会員登録解除設定処理を実行し、記憶部１ｆに記憶されているコンテンツ情報の削除及びアップリンク情報の基本情報以外を削除し、会員登録解除フラグをＯＮに設定する。また、制御部４は、センター装置３０との通信が確立した際に、会員登録解除フラグがＯＮに設定されているか否かを判断し、会員登録解除フラグがＯＮに設定されている場合、アップリンク情報の基本情報に会員登録解除を示すコードを書き込み、センター装置３０に送信する。センター装置３０は、車載器１０からアップリンク情報を受信すると、基本情報に会員登録解除を示すコードが含まれているか否かを判断し、含まれていると判断すると、会員情報ＤＢ３４１から送信元車載器１０の車載器ＩＤをもつレコードの会員登録情報を削除し、会員登録解除を通知するコンテンツ情報を車載器１０に送信する。
【００９０】
従って、ユーザは、車載器１０の初期化メニュー画面における操作等により配信サービスの会員登録解除の指示を車載器１０に入力することで、記憶部１ｆに記憶されているコンテンツ情報やアップリンク情報、センター装置３０に登録されている個人情報等を削除することが可能となる。そのため、例えば、車載器１０を搭載する車両を第三者に売り渡す場合等に、個人情報が車載器やセンター装置に残ったままとなることを防止することが可能となる。
【実施例２】
【００９１】
以下、本発明に係る実施例２について説明する。
実施例２における各装置の構成、及びコンテンツ情報、アップリンク情報のデータ構成は実施例１と略同様であるので説明を援用し、以下実施例２の動作について説明する。
【００９２】
図１２は、実施例２において、コンテンツ情報を配信する際におけるセンター装置３０、路側無線装置２０、車載器１０のＤＳＲＣ部３及び制御部４における処理の流れを説明するフローチャートである。
【００９３】
図１２に示すように、実施例２においては制御部４が実行するステップＳ３とステップＳ４の処理のみが実施例１と異なる。
【００９４】
図１２において、車両Ｃのエンジンが起動し、車載器１０の電源が投入されると（ステップＳ１）、制御部４は車載器１０の特性情報を生成し、記憶部３ｃのアップリンク情報記憶領域Ｍに書き込む（ステップＳ２）。
【００９５】
車載器１０において、表示部１ｅに表示されたメニュー画面等に従って入力部１ｄによりカーナビ部１の自宅登録地点の変更指示が入力されると（ステップＳ３；ＹＥＳ）、制御部４により自宅登録地点変更処理が実行される（ステップＳ４）。
【００９６】
図１３は、図１２のステップＳ４において制御部４により実行される自宅登録地点変更処理を示すフローチャートである。
【００９７】
入力部１ｄにより自宅登録地点変更の指示が入力されると、制御部４は、表示部１ｅに自宅の住所等を入力するための入力画面（キーボード画面等）を表示し、新たな自宅登録地点の入力を受け付ける（ステップＳ２０１）。入力画面から自宅登録地点が入力されると、制御部４は、記憶部１ｆに記憶されている自宅登録地点情報を入力された地点の情報により上書きして変更する（ステップＳ２０２）。なお、ステップＳ２０１においては、地図画面等を表示し、入力部１ｄにより指示された地点を自宅登録する地点として入力するようにしてもよい。
【００９８】
次いで、制御部４は、表示部１ｅに会員登録の解除をするか否かをユーザに問い合わせる問い合わせ画面（図示せず）を表示する（ステップＳ２０３）。この問い合わせ画面には、例えば「配信サービスの会員登録を解除しますか？」等のメッセージ及び会員登録解除を指示する「ＹＥＳ」ボタン及び会員登録解除をしないことを指示する「ＮＯ」ボタン等が表示される。
【００９９】
入力部１ｄにより「ＮＯ」ボタンが押下される等により配信サービスの会員登録解除をしない指示が入力された場合（ステップＳ２０４；ＮＯ）、制御部４は、本処理を終了する。
【０１００】
入力部１ｄにより「ＹＥＳ」ボタンが押下される等により配信サービスの会員登録解除が指示された場合（ステップＳ２０４；ＹＥＳ）、制御部４は、会員登録解除設定処理を実行し（ステップＳ２０５）、本処理を終了する。ステップＳ２０５において実行される会員登録解除設定処理は、実施例１で図１１を用いて説明したものと同様であるので説明を省略する。
【０１０１】
車両Ｃが走行を開始し、路側無線装置２０の相互通信エリアＺに進入すると（エリアイン）、路側無線装置２０は車両Ｃを検出し、車載器１０のＤＳＲＣ部３とＤＳＲＣ通信による接続処理を開始する（図１２のステップＳ５ａ、Ｓ５ｂ）。エリアインからエリアアウトまでの処理は、実施例１で説明したのと同様であるので説明を省略する。
【０１０２】
以上説明したように、実施例２によれば、車載器１０の表示部１ｅに表示されたメニュー画面に従って、入力部１ｄにより自宅登録地点の変更指示が入力され、入力部１ｄにより新たな自宅登録地点情報が入力されると、制御部４は、記憶部１ｆに記憶されている自宅登録地点情報を新たに入力された自宅登録地点情報に変更するとともに、表示部１ｅに、配信サービスの会員登録の解除を行うか否かを問い合わせる画面を表示する。配信サービスの会員登録の解除を行う指示が入力されると、制御部４は、会員登録解除設定処理を実行し、記憶部１ｆに記憶されているコンテンツ情報及びアップリンク情報の基本情報以外を削除し、会員登録解除フラグをＯＮに設定する。また、制御部４は、センター装置３０との通信が確立した際に、会員登録解除フラグがＯＮに設定されているか否かを判断し、会員登録解除フラグがＯＮに設定されている場合、アップリンク情報の基本情報に会員登録解除を示すコードを書き込み、センター装置３０に送信する。センター装置３０は、車載器１０からアップリンク情報を受信すると、基本情報に会員登録解除を示すコードが含まれているか否かを判断し、会員登録解除を示すコード含まれていると判断すると、会員情報ＤＢ３４１から送信元車載器１０の車載器ＩＤをもつレコードの会員登録情報を削除し、会員登録解除を通知するコンテンツ情報を車載器１０に送信する。
【０１０３】
従って、車載器１０のユーザは、入力部１ｄから自宅登録地点の変更を入力した際に、併せて配信サービスの会員登録解除の指示を入力し、記憶部１ｆに記憶されているコンテンツ情報やアップリンク情報、センター装置３０に登録されている個人情報等を削除することが可能となる。そのため、例えば、車載器１０を搭載する車両を買い替えた場合等に、前ユーザの設定のままコンテンツ情報が配信されてきたり、前ユーザの個人情報が車載器に残ったままとなったりすることを防止することが可能となる。
【実施例３】
【０１０４】
以下、本発明に係る実施例３について説明する。
実施例３における各装置の構成、及びコンテンツ情報、アップリンク情報のデータ構成は実施例１と略同様であるので説明を援用し、以下実施例３の動作について説明する。
【０１０５】
図１４は、実施例３において、コンテンツ情報を配信する際におけるセンター装置３０、路側無線装置２０、車載器１０のＤＳＲＣ部３及び制御部４における処理の流れを説明するフローチャートである。
【０１０６】
図１４に示すように、実施例３においては制御部４が実行するステップＳ３とステップＳ４の処理のみが実施例１と異なる。
【０１０７】
図１４において、車両Ｃのエンジンが起動し、車載器１０の電源が投入されると（ステップＳ１）、制御部４は車載器１０の特性情報を生成し、記憶部３ｃのアップリンク情報記憶領域Ｍに書き込む（ステップＳ２）。
【０１０８】
その後、車載器１０が移動し、Ｉ／Ｆ５を介してエンジンスイッチキー６がＯＦＦされた旨の信号（ＯＦＦ信号）を検出、即ち、車両Ｃ（自車）の駐車を検出すると（ステップＳ３；ＹＥＳ）、制御部４は、自宅登録位置検出処理を実行する（ステップＳ４）。
【０１０９】
図１５は、図１４のステップＳ４において制御部４により実行される自宅登録位置検出処理を示すフローチャートである。
【０１１０】
駐車を検出すると、制御部４は、記憶部１ｆの「自宅登録地点」領域に記憶されている自宅登録地点情報を読み出し、自宅登録地点の座標（緯度経度）を取得する（ステップＳ３０１）。次いで、制御部４は、現在地検出部１ｂにより検出された車両Ｃの現在地（自車位置）の座標と、取得した自宅登録地点の座標とを比較し、両者が異なるか否かを判断する（ステップＳ３０２）。自宅登録地点の座標と自車位置の座標が異ならない（同じである）と判断すると（ステップＳ３０２；ＮＯ）、制御部４は、検証回数Ｎに０を設定し（ステップＳ３０３）、検証回数Ｎを記憶部１ｆの所定領域に保存し（ステップＳ３０４）、本処理を終了する。
【０１１１】
比較の結果、自宅登録地点の座標と現在の自車位置の座標が異なると判断すると（ステップＳ３０２；ＹＥＳ）、制御部４は、検証回数Ｎを記憶部１ｆから取得する（ステップＳ３０５）。次いで、制御部４は、検証回数Ｎを１インクリメントし（ステップＳ３０６）、検証回数Ｎが予め定められた基準回数を超えたか否かを判断する（ステップＳ３０７）。検証回数Ｎが予め定められた基準回数を超えていないと判断すると（ステップＳ３０７；ＮＯ）、制御部４は、検証回数Ｎを記憶部１ｆの所定領域に保存し（ステップＳ３０８）、本処理を終了する。
【０１１２】
一方、検証回数Ｎが予め定められた基準回数を超えたと判断すると（ステップＳ３０７；ＹＥＳ）、制御部４は、検証回数Ｎに０を設定して初期化し（ステップＳ３０９）、検証回数Ｎを記憶部１ｆの所定領域に保存する（ステップＳ３１０）。そして、制御部４は、記憶部１ｆの「自宅登録地点情報」領域に記憶されている自宅登録地点情報を現在の自車位置の座標の情報に変更し（ステップＳ３１１）、会員登録解除設定処理を実行し（ステップＳ３１２）、本処理を終了する。
【０１１３】
ステップＳ３１２において実行される会員登録解除設定処理は、実施例１で図１１を用いて説明したものと同様であるので説明を省略する。
【０１１４】
車両Ｃが走行を開始し、路側無線装置２０の相互通信エリアＺに進入すると（エリアイン）、路側無線装置２０は車両Ｃを検出し、車載器１０のＤＳＲＣ部３とＤＳＲＣ通信による接続処理を開始する（図１４のステップＳ５ａ、Ｓ５ｂ）。エリアインからエリアアウトまでの各装置の処理は、実施例１で説明したのと同様であるので説明を省略する。
【０１１５】
以上説明したように、実施例３によれば、制御部４は、車載器１０の記憶部１ｆに登録されている自宅登録地点情報と異なる位置で駐車を検出した回数を検証回数Ｎとしてカウントし、検証回数Ｎが予め定められた基準回数を超えたときの駐車位置に記憶部１ｆにおける自宅登録地点情報の登録を変更するとともに、会員登録解除設定処理を実行し、記憶部１ｆに記憶されているコンテンツ情報及びアップリンク情報の基本情報以外を削除し、会員登録解除フラグをＯＮに設定する。また、制御部４は、センター装置３０との通信が確立した際に、会員登録解除フラグがＯＮに設定されているか否かを判断し、会員登録解除フラグがＯＮに設定されている場合、アップリンク情報の基本情報に会員登録解除を示すコードを書き込み、センター装置３０に送信する。センター装置３０は、車載器１０からアップリンク情報を受信すると、基本情報に会員登録解除を示すコードが含まれているか否かを判断し、会員登録解除を示すコード含まれていると判断すると、会員情報ＤＢ３４１から送信元車載器１０の車載器ＩＤをもつレコードの会員登録情報を削除し、会員登録解除を通知するコンテンツ情報を車載器１０に送信する。
【０１１６】
従って、自宅登録地点情報と異なる位置で駐車した回数が予め定められた基準回数を超えたときに、自動的に記憶部１ｆに記憶されている自宅登録地点情報を自車位置に変更して、コンテンツ情報やアップリンク情報、センター装置３０に登録されている個人情報等を削除することが可能となる。そのため、例えば、車載器１０を搭載する車両を買い替えた場合等に、前ユーザの設定のままコンテンツ情報が配信されてきたり、前ユーザの個人情報が車載器に残ったままとなったりすることを防止することが可能となる。
【実施例４】
【０１１７】
以下、本発明に係る実施例４について説明する。
実施例４において、記憶部１ｆは、駐車位置座標テーブル（図示せず）を記憶している。駐車位置座標テーブルは、記憶部１ｆの「自宅登録地点情報」領域に登録されている自宅登録地点情報と異なる位置で駐車が検出された場合の駐車位置の座標及びその座標での駐車回数を対応付けて格納するテーブルである。
【０１１８】
実施例４におけるその他の各装置の構成、及びコンテンツ情報、アップリンク情報のデータ構成は実施例１と略同様であるので説明を援用し、以下実施例４の動作について説明する。
【０１１９】
実施例４において、コンテンツ情報を配信する際におけるセンター装置３０、路側無線装置２０、車載器１０のＤＳＲＣ部３及び制御部４における処理の流れは、図１４に示すものと同様であるので説明を援用する。本実施例においては、ステップＳ４において制御部４に実行される自宅登録位置検出処理が異なるので、当該処理について図１６を参照して説明する。
【０１２０】
車両Ｃの駐車が検出されると、制御部４は、記憶部１ｆの「自宅登録地点」領域から自宅登録地点の座標情報及び駐車位置座標テーブルを取得する（ステップＳ４０１）。
次いで、制御部４は、現在地検出部１ｂにより検出された車両Ｃの現在位置（自車位置）の座標と、取得した自宅登録地点の座標とを比較し、両者が異なるか否かを判断する（ステップＳ４０２）。自宅登録地点の座標と自車位置の座標が異ならない（同じである）と判断すると（ステップＳ４０２；ＮＯ）、制御部４は、記憶部１ｆの駐車位置座標テーブルを初期化し（ステップＳ４０３）、本処理を終了する。
【０１２１】
比較の結果、自宅登録地点の座標と現在位置の座標が異なると判断すると（ステップＳ４０２；ＹＥＳ）、制御部４は、取得した駐車位置座標テーブルに現在の自車位置の座標が存在するか否かを判断する（ステップＳ４０４）。取得した駐車位置座標テーブルに現在の自車位置の座標が存在しないと判断すると（ステップＳ４０４；ＮＯ）、制御部４は、駐車位置座標テーブルに現在の自車位置の座標及び駐車回数を１として登録し（ステップＳ４０５）、本処理を終了する。
【０１２２】
取得した駐車位置座標テーブルに現在の自車位置の座標が存在すると判断すると（ステップＳ４０４；ＹＥＳ）、制御部４は、今回の駐車により現在の自車位置座標での駐車回数が予め定められた基準回数を超えたか否かを判断する（ステップＳ４０６）。現在の自車位置座標での駐車回数が予め定められた基準回数を超えていないと判断すると（ステップＳ４０６；ＮＯ）、制御部４は、駐車位置座標テーブルの現在の自車位置の座標に対応する駐車回数を１インクリメントし（ステップＳ４０７）、本処理を終了する。
【０１２３】
今回の駐車により現在の自車位置座標での駐車回数が予め定められた基準回数を超えたと判断すると（ステップＳ４０６；ＹＥＳ）、制御部４は、記憶部１ｆの「自宅登録地点情報」領域の自宅登録地点情報を現在の自車位置の座標に変更登録し（ステップＳ４０８）、会員登録解除設定処理を実行し（ステップＳ４０９）、本処理を終了する。会員登録解除設定処理は、実施例１で説明したのと同様であるので説明を省略する。
【０１２４】
以上説明したように、実施例４によれば、制御部４は、車載器１０の記憶部１ｆに登録されている自宅登録地点情報と異なる位置における駐車位置の座標及びその駐車位置での駐車回数を駐車位置座標テーブルに記憶しておき、現在の自車位置での駐車回数が予め定められた基準回数を超えた場合に、駐車位置に記憶部１ｆにおける自宅登録地点情報の登録を変更するとともに、会員登録解除設定処理を実行し、記憶部１ｆに記憶されているコンテンツ情報及びアップリンク情報の基本情報以外を削除し、会員登録解除フラグをＯＮに設定する。また、制御部４は、センター装置３０との通信が確立した際に、会員登録解除フラグがＯＮに設定されているか否かを判断し、会員登録解除フラグがＯＮに設定されている場合、アップリンク情報の基本情報に会員登録解除を示すコードを書き込み、センター装置３０に送信する。センター装置３０は、車載器１０からアップリンク情報を受信すると、基本情報に会員登録解除を示すコードが含まれているか否かを判断し、会員登録解除を示すコード含まれていると判断すると、会員情報ＤＢ３４１から送信元車載器１０の車載器ＩＤをもつレコードの会員登録情報を削除し、会員登録解除を通知するコンテンツ情報を車載器１０に送信する。
【０１２５】
従って、自宅登録地点情報と異なる位置での駐車回数が予め定められた基準回数を超えたときに、自動的に記憶部１ｆに記憶されているコンテンツ情報やアップリンク情報、センター装置３０に登録されている個人情報等を削除することが可能となる。そのため、例えば、車載器１０を搭載する車両を買い替えた場合等に、前ユーザの設定のままコンテンツ情報が配信されてきたり、前ユーザの個人情報が車載器に残ったままとなったりすることを防止することが可能となる。
【０１２６】
以上、実施例１〜実施例４について説明してきたが、上記実施例は本発明の好適な一例であり、これに限定されない。
例えば、センター装置３０における会員登録の解除は、インターネットやハガキなどの申し込み書等により行うこともできる。例えば、インターネット接続機能を備えた車載器１０やパーソナルコンピュータから配信事業者が提供するＷｅｂページにアクセスし車載器ＩＤ等を入力して会員登録解除の申し込みを行うと、センター装置３０は、会員登録解除の申し込みに記載された車載器ＩＤに対応する会員登録情報を会員情報ＤＢから削除する。このようにすれば、次回エリアイン後の会員／非会員の認証で必ず非会員と判別されるので、配信サービスがされることはない。
【０１２７】
また、アップリンク情報の会員情報、事業者コード、又はセンター装置３０の会員登録情報に有効期限を設け、一定期間車載器ＩＤの接続による更新がないときに、会員登録を解除するようにしてもよい。
【０１２８】
また、上記実施例においては、制御部４は、Ｉ／Ｆ５を介してエンジンスイッチキー６がＯＦＦされた旨の信号（ＯＦＦ信号）が入力されたことを検出することで、車両Ｃ（自車）の駐車を検出することとしたが、駐車の検出としては、これに限定されず、例えば、車載器１０の電源がＯＦＦとなったことを検出することで、車両Ｃ（自車）の駐車を検出することとしてもよい。
【０１２９】
その他、情報配信システム１００を構成する各装置の細部構成及び細部動作に関しても、発明の趣旨を逸脱することのない範囲で適宜変更可能である。
【符号の説明】
【０１３０】
１００  情報配信システム
１０  車載器
１  カーナビ部
１ａ  カーナビ制御部
１ｂ  現在地検出部
１ｃ  地図記憶部
１ｄ  入力部
１ｅ  表示部
１ｆ  記憶部
１ｇ  音声出力部
２  通信モジュール
３  ＤＳＲＣ部
３ａ  ＤＳＲＣ制御部
３ｂ  通信部
３ｃ  記憶部
Ｍ  アップリンク情報記憶領域
３ｅ  ＥＴＣ処理部
３ｆ  ＩＣカードＩ／Ｆ
４  制御部
２０  路側無線装置
３０  センター装置
３１  制御部
３２  入力部
３３  表示部
３４  記憶部
３４１  会員情報ＤＢ
３５  通信部
【図１】
2012146311.tif 000003
【図２】
2012146311.tif 000004
【図３】
2012146311.tif 000005
【図４】
2012146311.tif 000006
【図５】
2012146311.tif 000007
【図６】
2012146311.tif 000008
【図７】
2012146311.tif 000009
【図８】
2012146311.tif 000010
【図９】
2012146311.tif 000011
【図１０】
2012146311.tif 000012
【図１１】
2012146311.tif 000013
【図１２】
2012146311.tif 000014
【図１３】
2012146311.tif 000015
【図１４】
2012146311.tif 000016
【図１５】
2012146311.tif 000017
【図１６】
2012146311.tif 000018